(57)【要約】【課題】交換容易性、取り扱い容易性、経済性に優れた呼吸保護マスクのアイピース用保護カバーを提供する。【解決手段】アイピースの周辺の目枠部に挟着するための溝を内周面に持つと共に透明板を着脱自在に支持する弾性機構を備えた固定具及び該固定具に着脱自在に支持される透明板からなる呼吸保護マスクのアイピース用保護カバー。【選択図】図６
2006141618.tif 000002
【特許請求の範囲】
【請求項１】
呼吸保護マスクのアイピースの周辺の目枠部に挟着するための溝を内周面に持つと共に透明板を着脱自在に支持する弾性機構を備えた固定具及び該固定具に着脱自在に支持される透明板からなることを特徴とする呼吸保護マスクのアイピース用保護カバー。
【請求項２】
該弾性機構が治具なしに透明板を着脱しうる弾性溝である請求項１記載の呼吸保護マスクのアイピース保護カバー。
【発明の詳細な説明】
【技術分野】
【０００１】
本発明は防じん・防毒マスクや保護めがね等の外気から顔面と呼吸器を保護する呼吸保護マスクのアイピース用保護カバーに関する。
【背景技術】
【０００２】
防じん・防毒マスク等の呼吸保護マスクのアイピースを保護するために、従来から種々の保護カバーが提案され、用いられている。それらの具体例としては、シール、布カバー、透明樹脂カバー、固定具に一体的に取りつけた透明樹脂板等がある。
【０００３】
シール及び布カバーは保管時における耐擦傷性に対応しており、その多くは透明性がないためにマスク使用時には取り外す行為が必要となる。シールには透明性を有するものも存在するが、それをつけたまま作業する場合には作業に支障をきたすものがほとんどであり、またアイピースの形状が曲面化されている場合には対応できない。透明樹脂カバーはマスク使用時にも用いうるが、従来知られた透明樹脂カバーは、強度の弱いアイピースに適用されるものであり、アイピースの側部と同カバーとの間に隙間が生じその隙間から砂等の異物が侵入してアイピース面を擦傷する等の問題点を有すると共に、構造が複雑であり、コストが高いという問題点も有する。
【０００４】
近年、アイピースの材質も改良されてきているとはいえ、使用時や取り扱い時に擦傷をつけることが少なくない。そこで使用時にもアイピースを保護することが可能な保護カバーへの関心が高まっており、これに対応する保護カバーが固定具に透明樹脂板を固定した一体型保護カバーである。従来知られたこの方式の保護カバーは、透明樹脂板と固定具が一体成形されていたり金具等で固定されたものであり、強度や耐擦傷性は改善されているが、一方が破損したときに全部交換が必要になり、コスト的に不利である等の問題点を有する。
【発明の開示】
【発明が解決しようとする課題】
【０００５】
本発明の目的は、アイピースに対し十分な耐擦傷性をもつと共に、取り扱い易さ、交換容易性、経済性に優れ、マスク使用時に視野を阻害することのない呼吸保護マスクのアイピース用の保護カバーを提供することにある。
【課題を解決するための手段】
【０００６】
本発明は、呼吸保護マスクのアイピースの周辺の目枠部に挟着するための溝を内周面に持つと共に透明板を着脱自在に支持する弾性機構を備えた固定具及び該固定具に着脱自在に支持される透明板からなることを特徴とする呼吸保護マスクのアイピース用保護カバーである。
【発明の効果】
【０００７】
本発明の呼吸保護マスクのアイピース用保護カバーは、保護カバー本体である透明板とそれを支持する固定具が独立に存在し、透明板に擦傷がついて使用困難になったとき等に、使用者が手指の操作だけで新しい透明板を取りかえることができることから、最少の部品交換で済み、経済性、取り扱い容易性に優れると共に、用いる部品とその素材が独立であることから、透明板材料の選択性が広がる結果、状況変化に応じた対応が容易になると共に、視野を阻害することなくアイピースに対し十分な耐強度性や耐擦傷性を有しうるといった効果を示す。
【発明を実施するための最良の形態】
【０００８】
以下、図面に基いて本発明を説明する。
図１〜図４は本発明外の対称品を示す概略断面図であり、図１はシール製カバー、図２は布カバー、図３は透明樹脂カバー、図４は固定具に透明樹脂板を一体的に取りつけた一体型保護カバーを示す。
【０００９】
図５は本発明のアイピース用保護カバーの概略断面図であり、図６はその取りつけ状態を示す概略拡大断面図であり、図７は本発明のアイピース用保護カバーを用いるに適する呼吸保護マスクの斜視図である。
【００１０】
本発明のアイピース用保護カバーは透明板１と固定具２からなる。
透明板１は、ガラスやポリカーボネート、ポリアセタール等の視野を阻害しない適宜の硬質透明素材によって形成され、その形状及び寸法は保護すべきアイピースに対応して決められる。
【００１１】
固定具２は、天然ゴム、合成ゴム、エラストマー等の柔軟性と伸縮性をもつ適宜の素材によって形成される。これらの素材には蓄光材料も包含される。固定具２を蓄光材料で形成すると、面体４が蓄光材料以外で形成されている場合においても、固定具４を装着することで暗闇で光り、作業者の居場所を確認することが可能となる。固定具２は内周面がアイピース５の周辺の目枠６を挟持するための溝構造即ちコの字形状になっている。固定具２を挟持するアイピース周辺は、図６に示すように、マスク４の面体８と目枠６との間に一定の空間９がある構造をもつことが好ましく、この空間９に固定具２のコの字断面の底面１０を挿入することにより、アイピース部７により安定確実に固定具２を挟着することができる。固定具２のコの字断面は目枠６を締めつける程度に形成する。
【００１２】
固定具２は、さらに透明板１を着脱自在に支持する弾性機構を備えている。この弾性機構は、治具を用いることなく使用者の手指によって、その弾性を利用して透明板２を装着したり取りはずすことができる適宜の機構をいい、その典型例は、固定具２のコの字断面の上面に設けた溝３である。この溝３の周囲の弾性を利用して透明板の周囲端を溝３に挿入することによって透明板１が固定具２に支持される。溝３は透明板１の周囲端を締めつける程度に形成する。このような構造にすることにより、使用中に透明板１が脱落することはなく、また外部から砂等が侵入することも防止できる。また図７に示すように固定具２の溝端部、それに対応する上面端部及び外周部に突起１１、１２を設けることが好ましい。固定具２の外周部及び上面端部の突起１２により、目枠６への固定具２の装着及び固定具２への透明板１の装着が容易となり、溝３端部の突起１１により、透明板１が装着されていない場合においても溝３への砂塵等の侵入を防止することが可能となる。また、突起１１は透明板１を装着する際においては溝３内側に折りたたまれることになり、突起１１が形成されていない場合と装着状態に相違はない。
【００１３】
本発明のアイピース用保護カバーは、図８に示す一眼式及び二眼式の防じん・防毒マスク４に特に好ましく用いられる。
【００１４】
固定具２は、手指でマスク４のアイピース部７に着脱可能に装着できるが、通常は長期に装着した状態を維持し、透明板１だけが必要に応じ交換される。そのため、本発明のアイピース用保護カバーは固定具２の数に対し複数倍、たとえば２〜１０倍、の数の透明板１を組合せたセットとして使用者に供することが好ましい。
【００１５】
尚、透明板１はマスク４のアイピース５が持つ曲面に沿うように形成されるが、例えばマスク４が二眼式のようにマスク４のアイピース５が小さい場合、平面に形成することもできる。固定具２は柔軟性を有するために多少の寸法差は追従できる。そのため、左右の区別が不要となり運用面やコスト面で有利となる。
【００１６】
さらに、交換が容易になることから透明板１を例えばサングラス効果のあるものや視力補正のレンズに変更することもできる。
【図面の簡単な説明】
【００１７】
【図１】シール製保護カバーの概略断面図。
【図２】布製保護カバーの概略断面図。
【図３】透明樹脂製保護カバーの概略断面図。
【図４】一体型保護カバーの概略断面図。
【図５】本発明の保護カバーの概略断面図。
【図６】本発明の保護カバーの取りつけ状態を示す概略拡大断面図。
【図７】本発明の保護カバーの別の一例とその取りつけ状態を示す概略拡大断面図。
【図８】本発明の保護カバーを用いるに適する呼吸保護マスクの斜視図。
【符号の説明】
【００１８】
１  透明板
２  固定具
３  溝
４  マスク
５  アイピース
６  目枠
７  アイピース部
８  面体
９  空間
１０  底面部
１１、１２  突起
【図１】
2006141618.tif 000003
【図２】
2006141618.tif 000004
【図３】
2006141618.tif 000005
【図４】
2006141618.tif 000006
【図５】
2006141618.tif 000007
【図６】
2006141618.tif 000008
【図７】
2006141618.tif 000009
【図８】
2006141618.tif 000010